(57)【要約】【課題】重心位置が高い切換えピースが傾動するのを防止して常に適正な姿勢に起立保持し、これにより誤消去防止機能を安定的に発揮できるテープカートリッジを提供する。【解決手段】本体ケース１の後部内隅に、誤消去防止用の切換えピース１０を収容するコーナー区室Ｒを設ける。切換えピース１０は、栓部３０を備えた上下に長い本体部３１と、本体部３１の一側上下に平行に連出される傾動規制片３２およびスライド脚３３と、弾性変形可能な係合腕３４とを含む。コーナー区室Ｒは、本体ケース１の後壁１５と、後壁１５と前後平行に配置されるガイド壁１６と、ガイド壁１６の内側端から後壁１５へ向かって連出される内端壁１７とで区画する。傾動規制片３２およびスライド脚３３と本体部３１の上下寸法ｈを、コーナー区室Ｒの上下寸法Ｈとほぼ同じに設定して、切換えピース１０が傾動するのを防止する。【選択図】図１
2008112542.tif 000002
【特許請求の範囲】
【請求項１】
巻装された記録テープを収容する本体ケースの後部内隅に、誤消去防止用の切換えピースを収容するコーナー区室が設けられており、
前記切換えピースは、底面に栓部を備えた上下に長い本体部と、前記本体部の一側方の上端および下端に上下平行に連出される傾動規制片およびスライド脚と、前記傾動規制片と前記スライド脚との間に配置される弾性変形可能な係合腕とを含み、
前記コーナー区室は、前記本体ケースの後壁と、前記後壁と前後平行に配置されるガイド壁と、前記ガイド壁の内側端から前記後壁へ向かって連出される内端壁とで区画されており、
前記コーナー区室に臨む前記本体ケースの前記後壁と、底壁には、前記切換えピースをスライド操作する操作窓と、前記切換えピースの前記栓部で開閉される識別穴とがそれぞれ開口されており、
前記傾動規制片および前記スライド脚の上下寸法と、前記本体部の上下寸法とが、前記コーナー区室の上下寸法とほぼ同じに設定してあるテープカートリッジ。
【請求項２】
前記本体部の後面に沿って面一状に連出される前記傾動規制片および前記スライド脚の前後厚みが、前記本体部の前後厚みに比べて小さく設定されており、
前記本体ケースの前記後壁と前記内端壁との間に、前記傾動規制片および前記スライド脚をスライド案内する出退口が形成してある請求項１記載のテープカートリッジ。
【請求項３】
前記係合腕のスライド領域に臨む前記出退口の外面に、前記係合腕を弾性変形させる節度体が設けられており、
前記係合腕に、前記節度体に乗りあがる節度突起が形成されており、
前記切換えピースのスライド領域の両端において、前記節度突起が前記節度体で係合保持されている請求項１または２記載のテープカートリッジ。
【発明の詳細な説明】
【技術分野】
【０００１】
本発明は、誤消去防止用の切換えピースを備えているテープカートリッジに関する。
【背景技術】
【０００２】
この種のテープカートリッジは、例えば特許文献１に公知である。そこでは、本体ケースの後壁隅部に設けた三角形状のコーナー区室に、切換えピースを配置している。切換えピースは、操作窓に臨んで設けられる板状の縦スライド壁と、縦スライド壁の下端に連続してケース内方へ延びる底スライド壁と、縦スライド壁の前面に立設されるリブ壁と、縦スライド壁の上部に一体形成される弾性変形可能な係合腕などで構成してある。コーナー区室の底壁には識別穴が開口してあり、この識別穴を先の底スライド壁で塞ぎ、あるいは開放することにより、記録テープに対する情報信号の記録を許し、あるいは禁止できるようにしている。テープドライブの側には、識別穴の開閉状態を検知する検知ピンが設けられている。
【０００３】
この種のテープカートリッジにおいて、切換えピースに倒れ防止板部を設けることが特許文献２に公知である。倒れ防止板部は、特許文献１におけるリブ壁と同等の部材であるが、その上下端が本体ケースの上壁内面に接当することで切換えピースの倒れを防止する点で、特許文献１におけるリブ壁とは異なる。なお、特許文献１におけるリブ壁の上端は、弾性変形可能な係合腕より下方に位置させてあって、切換えピースの倒れを防止できるものではない。
【０００４】
限られた狭い空間内で、切換えピースを安定した状態でスライド案内できるようにしたテープカートリッジが特許文献３に公知である。そこでは、切換えピースの前後中央にスライド溝を設け、このスライド溝をスライド領域の中央に設けたガイド壁で左右スライド自在に案内支持している。スライド溝で分断された本体部の前壁の下部には、切り換え位置を位置保持するための弾性変形可能な係合腕が設けられ、係合腕が摺接する第２ガイド壁に、係合腕の突起を落ち込み係合させるための係合凹部が左右２箇所に形成してある。
【０００５】
【特許文献１】特開２００４−２４７００２号公報（段落番号００２２、図２）
【特許文献２】特開平９−２８２８３７号公報（段落番号００１１、図５）
【特許文献３】特開２００１−３１９４５９号公報（段落番号００１５、図１）
【発明の開示】
【発明が解決しようとする課題】
【０００６】
テープカートリッジにおいては、先に説明したように本体ケース内における満巻き状態の記録テープの占有領域と、本体ケースの内隅壁とで囲まれる三角形状のコーナー区室内に切換えピースを配置するが、コーナー区室には位置決め穴や、上下ケースを締結するためのねじボスなどが配置される。テープカートリッジの製造履歴データや、特性データなどが記録されたＩＣメモリーをコーナー区室内に設けることもある。さらに、コーナー区室の側壁外面に断面Ｖ字状の位置決め凹部を設けることもある。
【０００７】
上記のように、コーナー区室内に種々の構造が集約配置されるテープカートリッジにおいては、誤消去防止構造を配置するための空間量がますます減少する傾向にあり、必然的に、切換えピースは上下寸法に対して、左右幅と前後幅とが小さくならざるを得ない。例えば、図６に示すように、底面に栓部４５を備えた上下に長い直方体状の本体部４６と、本体部４６の下部から側方へ連出されるスライド脚４７、および弾性変形可能な係合腕４８と、本体部４６の後面一側に膨出形成される操作片４９などで構成した切換えピース４４においては、上下寸法が左右幅および前後幅に比べて大きくなり、その分だけ重心位置が高くなるのを避けられない。
【０００８】
このように、重心位置が高い切換えピース４４を切り換え操作するとき、あるいは切り換えが完了した状態においては、全体が左右いずれかへ傾動しやすい。とくに、図６に実線で示すように、本体ケース５０に開口した識別穴５１を本体部４６の栓部４５で塞いだ状態において、栓部４５の端縁が識別穴５１へ落ち込んで、切換えピース４４を大きく傾動させることがある。切換えピース４４が傾動した状態では、テープドライブに設けた検知ピンによる検知結果がばらつくおそれがあり、誤消去防止機能を安定的に発揮できないおそれがある。
【０００９】
本発明の目的は、重心位置が高い切換えピースが傾動するのを確実に防止して、常に適正な姿勢に起立保持でき、これにより誤消去防止機能を安定的に発揮できるテープカートリッジを提供することにある。
【課題を解決するための手段】
【００１０】
本発明のテープカートリッジは、巻装された記録テープ２を収容する本体ケース１の後部内隅に、誤消去防止用の切換えピース１０を収容するコーナー区室Ｒが設けてある。切換えピース１０は、底面に栓部３０を備えた上下に長い本体部３１と、本体部３１の一側方の上端および下端に上下平行に連出される傾動規制片３２およびスライド脚３３と、傾動規制片３２とスライド脚３３との間に配置される弾性変形可能な係合腕３４とを含む。コーナー区室Ｒは、本体ケース１の後壁１５と、後壁１５と前後平行に配置されるガイド壁１６と、ガイド壁１６の内側端から後壁１５へ向かって連出される内端壁１７とで区画される。コーナー区室Ｒに臨む本体ケース１の後壁１５と、底壁には、切換えピース１０をスライド操作する操作窓１８と、切換えピース１０の栓部３０で開閉される識別穴２０とがそれぞれ開口してある。以て、傾動規制片３２およびスライド脚３３の上下寸法ｈと、本体部３１の上下寸法ｈとを、コーナー区室Ｒの上下寸法Ｈとほぼ同じに設定する。
【００１１】
本体部３１の後面に沿って面一状に連出される、傾動規制片３２およびスライド脚３３の前後厚みを、本体部３１の前後厚みに比べて小さく設定する。本体ケース１の後壁１５と内端壁１７との間に、傾動規制片３２およびスライド脚３３をスライド案内する出退口２２を形成する。
【００１２】
係合腕３４のスライド領域に臨む出退口２２の外面に、係合腕３４を弾性変形させる節度体２３を設ける。係合腕３４に、節度体２３に乗りあがる節度突起３６を形成する。以て、切換えピース１０のスライド領域の両端において、節度突起３６を節度体２３で係合保持する。
【発明の効果】
【００１３】
本発明においては、本体ケース１の後壁１５と、後壁１５と前後平行に配置されるガイド壁１６と、ガイド壁１６の内側端から後壁１５へ向かって連出される内端壁１７とでコーナー区室Ｒを区画し、コーナー区室Ｒに配置した切換えピース１０の本体部３１を、後壁１５とガイド壁１６とで左右スライド自在に案内支持した。そのうえで、本体部３１の一側方の上端および下端に傾動規制片３２とスライド脚３３を上下平行に連出し、傾動規制片３２およびスライド脚３３と本体部３１の上下寸法ｈを、コーナー区室Ｒの上下寸法Ｈとほぼ同じに設定した。
【００１４】
このように、スライド脚３３とは別に傾動規制片３２を設けた切換えピース１０によれば、スライド操作時に切換えピース１０が傾動しようとしても、傾動規制片３２が上ケース１ａの上壁内面に接当し、あるいはスライド脚３３が下ケース１ｂの底壁に接当して、切換えピース１０の全体が傾動するのを規制できる。したがって、重心位置が高い切換えピース１０であっても、切換えピース１０の全体を常に適正な姿勢に起立保持して、識別穴２０を栓部３０で的確に塞ぐことができ、これにより検知ピンＰによる検知結果がばらつくのを解消して、誤消去防止機能を安定的に発揮させることができる。
【００１５】
傾動規制片３２およびスライド脚３３を本体部３１の後面に沿って面一状に連出し、さらにこれら両者３２・３３の前後厚みを、本体部３１の前後厚みに比べて小さく設定すると、切換えピース１０のスライド操作によって傾動規制片３２およびスライド脚３３が出退口２２からコーナー区室Ｒの外へ進出するとき、記録テープ２の巻装領域Ｚと後壁１５との間の小さな隙間を利用して、傾動規制片３２およびスライド脚３３をスライド変位でき、誤消去防止構造を配置するための空間量が小さい場合であっても、切換えピース１０の左右ストロークを十分に確保して、書き込み許可状態と書き込み禁止状態を明確に識別できる。出退口２２で傾動規制片３２およびスライド脚３３をスライド案内することにより、切換えピース１０を切り換え操作するとき、切換えピース１０の一部が前後に傾動するのを防止できる利点もある。
【００１６】
出退口２２の外面に節度体２３を設け、係合腕３４に節度体２３に乗りあがる節度突起３６を設け、切換えピース１０のスライド領域の両端において節度突起３６を節度体２３で係合保持すると、切換えピース１０を切り換え操作するときクリック感を与えて、切換えピース１０が書き込み許可状態と書き込み禁止状態とに切り換わったことを明確化でき、しかも各切り換え位置において切換えピース１０を確実に位置保持することができる。
【発明を実施するための最良の形態】
【００１７】
（実施例）  図１ないし図５は本発明に係るテープカートリッジの実施例を示す。図２においてテープカートリッジは、左右横長の本体ケース１の内部左右に記録テープ２を巻き取る一対のハブ３・３が配置してある。本体ケース１の前部中央には、テープローディング用のポケット５が形成され、その前部両側に配置したテープガイド６・６で、記録テープ２を前蓋７の内面に沿って案内支持している。不使用時のテープ保護のために、ポケット５の前面が揺動開閉可能な前蓋７で覆われ、ポケット５の下面が前後にスライド開閉するシャッター８で覆われている。符号９はシャッター８を閉じ勝手に付勢するばねである。
【００１８】
本体ケース１は、上ケース１ａと下ケース１ｂとを蓋合わせ状に接合した中空ケースからなり、その後部内隅に区画したコーナー区室Ｒの一方に、誤消去防止用の切換えピース１０が収容してある。上ケース１ａと下ケース１ｂとは４個のビス１２で締結固定されており、左右のコーナー区室Ｒに隣接してビス１２をねじ込むためのボス１３が一体に形成してある。
【００１９】
図３において、切換えピース１０を収容するコーナー区室Ｒは、本体ケース１の後壁１５と、本体ケース１の右側壁に連続して後壁１５と前後平行に配置されるガイド壁１６と、ガイド壁１６の内側端から後壁１５へ向かって直角に連出される内端壁１７とで左右横長に区画してある。図４に示すように、コーナー区室Ｒに臨む後壁１５部分は、他の後壁部分より薄くなるように凹み形成されており、この凹部１５ａに切換えピース１０をスライド操作するための操作窓１８が開口してある。凹部１５ａを設けた分だけ本体部３１の前後厚みを大きくして、切換えピース１０の安定度を向上できる。
【００２０】
図１および図３に示すように、コーナー区室Ｒの底壁には、切換えピース１０のスライド領域に対応してスライド凹部１９が形成してあり、このスライド凹部１９のケース側端側に識別穴２０が開口してある。識別穴２０と隣接するコーナー区室Ｒの底壁内奥には位置決め穴２１が上下貫通状に形成してある。先のボス１３はガイド壁１６の前面側に一体に形成してある。後壁１５と内端壁１７との間には出退口２２が形成され、出退口２２の外面に連続して、後壁１５と平行な節度壁（節度体）２３が形成してある。節度壁２３は下ケース１ｂの側に限って形成されていて、切換えピース１０のスライド脚３３のガイド壁を兼ねている。
【００２１】
図３に示すように、切換えピース１０は、底面に栓部３０を備えた上下に長い直方体状の本体部３１と、本体部３１の左側方の上端および下端から上下平行に連出される傾動規制片３２およびスライド脚３３と、傾動規制片３２とスライド脚３３との間に配置される弾性変形可能な係合腕３４と、本体部３１の後面右縁に沿って膨出形成される縦長の操作片３５とを一体に備えている。
【００２２】
傾動規制片３２およびスライド脚３３は、それぞれ本体部３１の後面に沿って面一状に連出されており、これら両者３２・３３の前後厚みは、本体部３１の前後厚みに比べて小さく設定してある。この実施例では、傾動規制片３２およびスライド脚３３の前後厚みを、本体部３１の前後厚みの半分弱とした。このように、傾動規制片３２およびスライド脚３３の前後厚みを小さく設定するのは、図４に想像線で示すように、傾動規制片３２およびスライド脚３３がコーナー区室Ｒから外側方へ進出した状態において、両者３２・３３の先端が記録テープ２の巻装領域Ｚに近付くのを避けるためである。図５に示すように、傾動規制片３２およびスライド脚３３の上下寸法ｈと、本体部３１の上下寸法ｈとは同じとし、コーナー区室Ｒの上下寸法Ｈとほぼ同じに設定する。実際には、前者寸法ｈを後者寸法Ｈより僅かに小さく設定してある。この寸法差は、切換えピース１０を抵抗なく往復スライドできる程度の隙間であればよく、例えば０．５ｍｍ以下とする。
【００２３】
係合腕３４は、その前面がスライド脚３３の前面と面一になり、さらに腕部分の前後厚みがスライド脚３３の前後厚みの概ね半分となるように形成されて、前後方向へ弾性変形可能としてある。係合腕３４の突端寄りの前面には、三角形状の節度突起３６が一体に形成してある。この節度突起３６が先の節度壁２３に乗りあがるとき、係合腕３４がケース後方へ向かって弾性変形する。また、切換えピース１０のスライド領域の両端においては、節度突起３６が節度壁２３の端部、あるいは内端壁１７の端部に係合保持されて、切換えピース１０の自由な移動を規制している。
【００２４】
図４に示すように、切換えピース１０は、傾動規制片３２およびスライド脚３３の突端が出退口２２に臨む状態で、本体部３１をコーナー区室Ｒに装填する。この組み付け状態においては、操作窓１８が本体部３１と、本体部３１に連続する面壁によって塞がれており、さらに、図１に示すように識別穴２０が本体部３１の下面の栓部３０で塞がれている。したがって、テープカートリッジをテープドライブに装填した状態において、テープドライブの検知ピンＰは栓部３０に受け止められてコーナー区室Ｒ内へ進入できない。この書き込み許可状態においてのみ、記録テープ２に記録された情報信号を消去して、新たな情報信号を書き込むことができる。
【００２５】
上記の状態から、操作片３５を操作窓１８に沿って左方へスライド操作すると、傾動規制片３２およびスライド脚３３が出退口２２に案内されてコーナー区室Ｒの外方へ進出し、同時に節度突起３６が節度壁２３に乗りあがって係合腕３４を弾性変形させる。さらに操作片３５を左方スライドすると、節度突起３６が節度壁２３を乗り越え、係合腕３４が自己の弾性によって自由状態に復帰する。この状態においては、本体部３１が内端壁１７で受け止められて、識別穴２０は完全に開放されている。したがって、テープドライブの検知ピンＰは識別穴２０を介してコーナー区室Ｒ内へ進入でき、記録テープ２に記録された情報信号を消去することはできず、したがって書き込みが禁止される。このとき図４に想像線で示すように、節度突起３６の一側が節度壁２３の端部で係合保持されるので、切換えピース１０が書き込み許可状態へ戻ることはない。
【００２６】
以上のように、スライド脚３３とは別に本体部３１の上部に連続して傾動規制片３２を設けると、スライド操作時に切換えピース１０が傾動しようとしても、傾動規制片３２が上ケース１ａの上壁内面に接当して傾動を規制するので、切換えピース１０の全体が傾動することはない。したがって、重心位置が高い切換えピース１０であっても、切換えピース１０の全体を適正な姿勢に起立保持して、識別穴２０を栓部３０で的確に塞ぐことができ、これにより検知ピンＰによる検知結果を適正化して、誤消去防止機能を安定的に発揮できる。
【００２７】
上記の実施例では、節度体２３を壁状に形成したがその必要はなく、例えば節度突起３６のスライドストロークの両端寄りに左右一対のピンを立設して節度体２３とすることができる。その場合には、係合腕３４に節度突起３６に換わる凹部を設け、この凹部を左右一対のピンに係合させて、切換えピース１０を位置保持することができる。
【００２８】
本発明は、本体ケースの内部に１個のテープリールを備えている、いわゆる単リール型のテープカートリッジにも適用できる。もちろん、本体ケースの内部に２個のテープリールが配置してあるテープカートリッジにも適用できる。本体ケースの前後幅に余裕がある場合には、傾動規制片３２およびスライド脚３３のスライド領域の全てを節度壁２３に相当するガイド壁で案内することができる。
【図面の簡単な説明】
【００２９】
【図１】誤消去防止構造を示す縦断面図である。
【図２】テープカートリッジの概略構造を示す内部平面図である。
【図３】誤消去防止構造を示す分解斜視図である。
【図４】図１におけるＡ−Ａ線断面図である。
【図５】図１におけるＢ−Ｂ線断面図である。
【図６】比較例に係る誤消去防止構造を示す縦断面図である。
【符号の説明】
【００３０】
１  本体ケース
１５  後壁
１６  ガイド壁
１７  内端壁
２０  識別穴
２２  出退口
３０  栓部
３１  本体部
３２  傾動規制片
３３  スライド脚
Ｒ  コーナー区室
【図１】
2008112542.tif 000003
【図２】
2008112542.tif 000004
【図３】
2008112542.tif 000005
【図４】
2008112542.tif 000006
【図５】
2008112542.tif 000007
【図６】
2008112542.tif 000008